(57)【要約】【課題】段差のあるシンクであってもシンクの左右のいずれへも水切り棚を置くことができるようにし、また安定した設置ができるようにする。【解決手段】流し台のシンク９と接する脚部１３〜１５と、該脚部１３〜１５に連結した水切り用の棚部１６とから成り、前記脚部１３〜１５を線材でリング状に形成する。これにより、シンク９と接する部分の領域が拡大し、水切り棚８自体を安定して設置することができる。また脚部１３〜１５の上下方向の中間部の位置に水切り用の棚部１６を連結すれば、水切り棚を上下で反転させて使用することができる。更に、脚部１３〜１５の高さをシンク９の段部の高さ形状に応じて変化させれば、水切り用の棚部１６が水平となり、異なる段差を有するシンクに対しても水切り棚８の設置が可能である。【選択図】  図４
2004290577.tif 000002
【特許請求の範囲】
【請求項１】
流し台のシンクと接する脚部と、該脚部に連結した水切り用の棚部とから成り、前記脚部を線材でリング状に形成したことを特徴とする水切り棚。
【請求項２】
流し台のシンクと接する脚部と、該脚部に連結した水切り用の棚部とから成り、前記脚部の上下方向の中間部の位置に水切り用の棚部が連結されていることを特徴とする水切り棚。
【請求項３】
流し台のシンクと接する脚部と、該脚部に連結した水切り用の棚部とから成り、脚部の上下方向の中間部の位置に水切り用の棚部を連結すると共に、前記脚部を線材でリング状に形成したことを特徴とする水切り棚。
【請求項４】
シンクの前後方向に対応する脚部の前後方向の長さを延長した請求項１又は３に記載の水切り棚。
【請求項５】
脚部の高さがシンクの高さ形状に応じて変化し、水切り用の棚部が水平となるように設定されている請求項１乃至４のいずれか一つに記載の水切り棚。
【請求項６】
脚部が水切り用の棚部を中心として上下方向対称となるように取り付けられている請求項１乃至５のいずれか一つに記載の水切り棚。
【発明の詳細な説明】
【０００１】
【発明の属する技術分野】
本発明は、台所用流し台のシンクに設置されて洗浄後の食器類を一旦収納載置しておき、水切り乾燥後に食器類を水屋等へ移し替るための水切り棚に関するものである。
【０００２】
【従来の技術】
台所用流し台において、洗浄した後の食器類の水切りを行う技術としては、例えば特許文献１〜３に記載されたものがある。特許文献１に記載された技術は、シンクの後方で且つカウンター上面の水栓よりも後方の位置に、カウンター上面よりも低い領域の水切り部を設け、該水切り部に多数の排水孔が穿設された水切りプレートや線材で形成した水切り棚を載置するようにしている。また特許文献１の図６には、線材で形成した水切り棚の例が図示されている。水切りプレート又は水切り棚へ載置した食器類からの水滴は、水切り部からシンク内へ流下し、排水管を通じて下水等へ排出される。
【０００３】
また特許文献２に記載された技術は、線材で籠状に編み込んだ水切り棚に棒状の脚部を取り付けてシンクを跨いだカウンター上面に載置固定し、水切り棚へ収納した洗浄後の食器類から滴り落ちる水滴をシンク内へ落下、回収するようにしている。
【０００４】
更に、特許文献３に記載された流し台用水切り棚の技術は、長尺板状の棚体の一端側に、パイプ杆による棚枠をスライド自在に取り付け、シンクの開口幅の大きさに応じて棚体と棚枠との全体の長さを調整し、シンクに跨がって取り付けることができるようにしている。そして、スプーン等の小物類は長尺板状の棚体へ載置し、茶碗等の比較的大きなものはパイプ杆による棚枠へ載置して水切りを行うようにしている。
【０００５】
【特許文献１】
特開２００２−２１２９９３号公報
【特許文献２】
特開２００２−１７４７８号公報
【特許文献３】
特開平１１−５６７４２号公報
【０００６】
【発明が解決しようとする課題】
ところが、各特許文献１〜３に記載された先行する技術にあっては、水切り棚を載置するシンクの箇所が平坦な部分であり、水切り棚を設置する位置が限定されるため、水槽の周縁に段差の形成されたシンク等に対してはこれを適用することができないでいた。
【０００７】
また水切り棚は、使用者の利き手、流し台を設置する家の構造や家具の配置等によって、シンクの左側に設置したり、右側に設置したりすることがあるが、段差を有するシンクにおいて、左右のいずれへも載置することのできるような水切り棚は未だ開発されておらず、専用品を準備する以外になかった。
【０００８】
本発明は従来の前記課題に鑑みてこれを改良除去したものであって、段差のあるシンクであってもシンクの左右のいずれへも置くことができ、また安定した設置が可能な水切り棚を提供せんとするものである。
【０００９】
【課題を解決するための手段】
而して、前記課題を解決するために本発明が採用した請求項１の手段は、流し台のシンクと接する脚部と、該脚部に連結した水切り用の棚部とから成り、前記脚部を線材でリング状に形成したことを特徴とする水切り棚である。
脚部を線材でリング状に形成しており、シンクと接する部分の領域が拡大し、水切り棚自体を安定して設置することができる。
【００１０】
また本発明が採用した請求項２の手段は、流し台のシンクと接する脚部と、該脚部に連結した水切り用の棚部とから成り、前記脚部の上下方向の中間部の位置に水切り用の棚部が連結されていることを特徴とする水切り棚である。
脚部の上下方向の中間部に水切り用の棚部を連結することにより、水切り棚を上下で反転させて使用することが可能である。
【００１１】
本発明が採用した請求項３の手段は、流し台のシンクと接する脚部と、該脚部に連結した水切り用の棚部とから成り、脚部の上下方向の中間部の位置に水切り用の棚部を連結すると共に、前記脚部を線材でリング状に形成したことを特徴とする水切り棚である。
この発明では、脚部を線材でリング状に形成しており、シンクと接する部分の領域が拡大し、水切り棚自体を安定して設置することができる。また脚部の上下方向の中間部に水切り用の棚部を連結しているので、これを上下で反転させて使用することが可能である。
【００１２】
本発明が採用した請求項４の手段は、シンクの前後方向に対応する脚部の前後方向の長さを延長した請求項１又は３に記載の水切り棚である。
シンクの前後方向に対応する脚部の長さを延長することにより、該方向での水切り棚のシンクと接する領域が拡大し、より安定した設置が可能である。
【００１３】
本発明が採用した請求項５の手段は、脚部の高さがシンクの高さ形状に応じて変化し、水切り用の棚部が水平となるように設定されている請求項１乃至４のいずれか一つに記載の水切り棚である。
これにより、異なる段差を有するシンクに対しても水切り棚を設置することが可能である。
【００１４】
本発明が採用した請求項６の手段は、脚部が水切り用の棚部を中心として上下方向対称となるように取り付けられている請求項１乃至５のいずれか一つに記載の水切り棚である。
このように水切り用の棚部を中心として上下方向対称となるように脚部を取り付けることにより、異なる高さの段差を有するシンクであっても、左右のいずれの側にも上下方向で反転させて取り付けることが可能である。
【００１５】
【発明の実施の形態】
以下に、本発明の構成を図面に示す発明の実施の形態に基づいて説明すると次の通りである。図１は本発明の第１の実施の形態に係る水切り棚１を示す斜視図である。同図に示す如く、この水切り棚１は、線材を利用して形成されており、線材をリング状にした脚部２と、四つの脚部２に取り付けられた水切り用の棚部３とで構成されている。脚部２は、シンクと接する部分２Ａが直線状になっており、シンクに対して安定して接することができるようになっている。また棚部３は、脚部２の上下方向の中間位置（真ん中）に取り付けられている。これにより、上下方向を反転させた場合であっても同じ使用が可能であり、またその場合であってもいずれも棚部３の下方に排水空間を確保することが可能である。
【００１６】
また図２は本発明の第２の実施の形態に係る水切り棚４を示す斜視図である。この水切り棚４は、脚部５及び棚部６を板状材とし、棚部６に排水用の小孔７を多数設置している。そして、板状棚部６の上下面に脚部５をそれぞれ突出して設けている。つまり、板状の棚部６が脚部５の上下方向の中間部に位置して取り付けられている。従って、この水切り縦４の場合も上下方向を反転させた状態で同じ使用が可能であり、棚部６の下方に排水空間を確保することが可能である。
【００１７】
図３〜図５は本発明の第３の実施の形態の水切り棚８に係るものである。図３の図（Ａ）は水切り棚８の設置対象であるシンク９を示す平面図、図（Ｂ）は図（Ａ）のＸ−Ｘ線断面図、図（Ｃ）は水切り棚８を設置した場合のシンク９の平面図である。また図４は水切り棚８を示す斜視図である。更に、図５の図（Ａ）は水切り棚８の平面図、図（Ｂ）は水切り棚８の正面図、図（Ｃ）は水切り棚８の左側面図である。
【００１８】
図３の図（Ａ）〜（Ｃ）に示すように、シンク９はその奥部側の中央に水栓を取り付けるための領域１０がシンク９の手前側へ向けて膨出形成されている。この膨出形成された領域１０は、図（Ｂ）に示すようにカウンター１１の上面よりも一段低くなっている。またシンク９の前記膨出形成された領域１０を含む全内周面の上部には、図（Ｂ）に示すように領域１０よりも更に一段低くなった段部１２が形成されている。水切り棚８は、シンク９のこれらの領域（段部）１０及び段部１２を利用して設置されるようになっている。
【００１９】
而して、この実施の形態における水切り棚８は、図４及び図５に示す通りであって、線材を加工して成形されており、リング状に形成された三種類の脚部１３〜１５と、これらの脚部１３〜１５の上下方向高さの中間位置に連結された棚部１６とで構成されている。棚部１６の背面から側面にかけて連結された脚部１３は、長尺で概略長方形状を成し、その途中をシンク９の背面から側面に至る壁面形状に沿って折曲形成されており、最も下段の段部１２に載置されるようになっている。一方、棚部１６の背面側に連結された脚部１４は、概略長方形状に形成され、水栓を取り付けるために膨出形成された領域１０に載置されるようになっている。更に、棚部１６の正面側に連結された脚部１５は、略正方形状を成し、前記膨出形成された領域１０の正面側に位置する最も下段の段部１２に載置されるようになっている。
【００２０】
従って、脚部１３と脚部１５は、最も下段の段部１２に載置されるので、その上下方向の高さは同じであるが、膨出形成された領域１０に載置される脚部１４は当該領域１０と段部１２との高低差の分だけ脚部１３及び１５よりも低くなっている。これにより、棚部１６はその全体が水平に設置されることになる。
【００２１】
また脚部１３の背面側に位置する上下部には、シンク９の段部１２に上向きに突出形成した係止用のピン１７と係合するためのフック１８が取り付けられている。なお、図４及び図５の図（Ｃ）において、符号１９は、脚部１３の途中の上下間を連結する支柱である。これは棚部１６を溶接等で連結するためのものである。また上記構成により、水切り棚８は、棚部１６を中心にして上下方向で反転させた場合に、左右対称形となるようになる。
【００２２】
次に、このように形成された水切り棚８の使用態様を説明する。水切り棚８のフック１８をシンク９の段部１２に突出形成したピン１７へ係合させ、脚部１３をシンク背面側から側面側にかけての段部１２に載置すると共に、脚部１４を膨出形成した領域１０へ載置し、脚部１５を前記領域１０の手前側の段部１２に載置する。これにより、水切り棚８の棚部１６は、高さの異なる脚部１３〜１５が二つの段部１０及び１２に接するようになるが全体として水平を保つようになり、棚部１６へ載置した食器類が落下したりするようなことはない。
【００２３】
また水切り棚８は、フック１８がピン１７へ係合しており、しかも長尺の脚部１３が背面から側面に跨がって段部１２に接しており、脚部１５が膨出形成された領域１０の手前側の段部１２に接しているので、全体として極めて安定した設置状態が得られ、重たい食器類を棚部１６の手前側へ載置したような場合であっても、水切り棚８がひっくり返るようなことはない。つまり、非常に安定したものとなる。
【００２４】
更に、水切り棚１６は、各脚部１３〜１５の上下方向中間部に棚部１６が連結されており、棚部１６を中心にして上下方向で反転させた場合に、左右対称形となるので、シンク９の右側においても同様に使用が可能である。
【００２５】
ところで、本発明は上述した実施の形態に限定されるものではなく、適宜の変更が可能である。例えば、フック１８を脚部１４の上下部にも取り付け、これに対応する係止用のピン１７を水栓を取り付けるために膨出形成された領域１０へ設置し、ピン１７とフック１８との係合を二カ所で行うようにしてもよい。これにより、水切り棚８の安定度は更に増すようになる。また水切り棚８の平面形状や脚部１３〜１５の高さ等は、対象となるシンク９の形状や大きさによって適宜変更すればよい。
【００２６】
【発明の効果】
以上説明したように本発明にあっては、流し台のシンクと接する脚部と、該脚部に連結した水切り用の棚部とから成り、前記脚部を線材でリング状に形成したから、シンクと接する部分の領域が拡大し、水切り棚自体を安定して設置することができる。
【００２７】
また本発明にあっては、流し台のシンクと接する脚部と、該脚部に連結した水切り用の棚部とから成り、前記脚部の上下方向の中間部の位置に水切り用の棚部を連結したから、水切り棚を上下で反転させて使用することが可能である。
【００２８】
更に、本発明にあっては、流し台のシンクと接する脚部と、該脚部に連結した水切り用の棚部とから成り、脚部の上下方向の中間部の位置に水切り用の棚部を連結すると共に、前記脚部を線材でリング状に形成したから、シンクと接する部分の領域が拡大し、水切り棚自体を安定して設置することができると共に、水切り棚を上下で反転させて使用することが可能である。
【００２９】
更にまた、本発明にあっては、シンクの前後方向に対応する脚部の前後方向の長さを延長している。これにより、脚部の前後方向でのシンクと接する領域がより拡大し、より安定した設置が可能である。
【００３０】
更に、本発明にあっては、脚部の高さがシンクの高さ形状に応じて変化し、水切り用の棚部が水平となるように設定されているので、異なる段差を有するシンクに対しても水切り棚を設置することが可能である。
【００３１】
更に、本発明にあっては、脚部が水切り用の棚部を中心として上下方向対称となるように取り付けられているので、異なる高さの段差を有するシンクであっても、左右のいずれの側にも上下方向で反転させて取り付けることが可能であり、使用態様が広がり、便利である。
【図面の簡単な説明】
【図１】本発明の第１の実施の形態に係る水切り棚を示す斜視図である。
【図２】本発明の第２の実施の形態に係る水切り棚を示す斜視図である。
【図３】本発明の第３の実施の形態に係るものであり、図（Ａ）は水切り棚の設置対象であるシンクを示す平面図、図（Ｂ）は図（Ａ）のＸ−Ｘ線断面図、図（Ｃ）は水切り棚を設置した場合のシンクの平面図である。
【図４】本発明の第３の実施の形態に係る水切り棚を示す斜視図である。
【図５】本発明の第３の実施の形態に係るものであり、図（Ａ）は水切り棚の平面図、図（Ｂ）は同正面図、図（Ｃ）は同左側面図である。
【符号の説明】
１…水切り棚、２…脚部、３…棚部、４…水切り棚、５…脚部、６…板状の棚部、７…小孔、８…水切り棚、９…シンク、１０…水栓を取り付けるための膨出形成された領域、１１…カウンター、１２…段部、１３〜１５…脚部、１６…棚部、１７…係止用のピン、１８…フック
【図１】
2004290577.tif 000003
【図２】
2004290577.tif 000004
【図３】
2004290577.tif 000005
【図４】
2004290577.tif 000006
【図５】
2004290577.tif 000007